(57)【要約】【課題】テーブルに添えられる席数や載せられる料理の食器に合わせた画像による演出をテーブル上に表示することができる演出テーブル装置７を提供する。【解決手段】演出テーブル装置７に、テーブル上面に設けられたタッチパネル３７ｂと、該テーブル上面に映像を表示するモニタ３７ａと、前記テーブル上に配置する食器３の位置を指定する配置指示画像１３１を前記モニタ３７ａに表示させ、前記演出制御部３５にて指示した位置に配置された食器３により演出が妨げられないように該食器３の位置と異なる位置を主とする演出画像１３６を表示する演出制御部３５とを備えた。【選択図】図８
2011003083.tif 000002
【特許請求の範囲】
【請求項１】
テーブル上面へのタッチ入力を検知する入力検知手段と、
該テーブル上面に映像を表示する表示手段と、
前記テーブル上に配置する載置物の位置を指定する配置指示画像を前記表示手段に表示させる配置指示手段と、
前記配置指示手段にて指示した位置に配置された載置物により演出が妨げられないように該載置物の位置と異なる位置を主とする演出画像を表示する演出手段とを有する
操作表示装置。
【請求項２】
前記演出手段は、
前記配置指示画像により指定した所定位置に注目を集めるように前記表示手段の表示により演出する所定位置注目処理を実行する構成である
請求項１記載の操作表示装置。
【請求項３】
前記配置指示画像は、配置指示する複数の載置物位置のうち所定の載置物位置を特定できる載置物別特定可能画像として構成した
請求項２記載の操作表示装置。
【請求項４】
演出に用いる演出画像を作成する演出画像作成手段と、
前記配置指示画像または該配置指示画像に従って載置物が配置されたイメージを示す載置物配置イメージ画像を、前記作成した演出画像に重ねて表示するテスト確認手段とを備えた
請求項１、２、または３記載の操作表示装置。
【請求項５】
席数別に１人分の領域を示す席数別領域データと、料理種別に応じた１人分の載置物の配置を示す配置画像データとを記憶する記憶手段と、
前記席数と前記料理種別との入力を許容する入力手段と、
前記入力手段で入力された席数と料理種別に基づいて、
前記記憶手段の席数別領域データと配置画像データを利用して前記配置指示画像を作成する配置指示画像作成手段とを備えた
請求項１から４のいずれか１つに記載の操作表示装置。
【請求項６】
複数の操作表示装置と、該操作表示装置に表示させる映像をコントロールする管理装置とを備え、
前記操作表示装置は、
テーブル上面へのタッチ入力を検知する入力検知手段と、
該テーブル上面に映像を表示する表示手段と、
前記テーブル上に配置する載置物の位置を指定する配置指示画像を前記表示手段に表示させる配置指示手段と、
前記配置指示手段にて指示した位置に配置された載置物により演出が妨げられないように該載置物の位置と異なる位置を主とする演出画像を表示する演出手段とを有する構成である
操作表示システム。
【発明の詳細な説明】
【技術分野】
【０００１】
この発明は、例えば卓上に映像を表示すると共に操作入力を受け付けるような操作表示装置および、該操作表示装置を複数コントロールして演出するような演出システムに関する。
【背景技術】
【０００２】
従来、結婚式の披露宴会場では、キャンドルサービスやケーキカットなど、様々な演出が行われている。この演出は、「世界でひとつだけ」をキーワードに、差別化を望むカップルの要望から、結婚披露宴会場によるオリジナルコーディネートが発展してきている。この流れにより、近年の演出は、蛍光液を利用したものや風船を利用したものなど多様化しており、さらに変化のある演出が望まれている。
【０００３】
このような演出において、映像を用いるものとして、プロジェクタでの映像投影も行われている。このプロジェクタで映像を投影するシステムとして、結婚式場で撮影した写真や参列者名を放映する結婚式情報配信システムが提案されている（特許文献１参照）。この結婚式情報配信システムは、撮影した映像を編集・加工して記憶媒体に書込み、プロジェクタによって放映するものである。
【０００４】
他に映像を取り扱うシステムとして、各種結婚式場等における画像表示システムが提案されている（特許文献２参照）。このシステムは、指輪交換等の各種儀式を撮影して画面に表示することや、参列者の顔等を撮影して画面に表示することにより、各種儀式や参列者の表情を明確に視認できるとされている。
【先行技術文献】
【特許文献】
【０００５】
【特許文献１】ＷＯ２００５／０６２２２１号公報
【特許文献２】特開２００１−３３９７１７号公報
【発明の概要】
【発明が解決しようとする課題】
【０００６】
しかし、上述した各システムは、いずれも表示手段に表示する映像が定まっているものであり、演出のオリジナル性に欠けるものであった。すなわち、前者の結婚式情報配信システムは、プロジェクタにて会場全体に放映するものであるから、例えば会場のテーブルの席配置や料理の食器に合わせた演出はできなかった。また、後者の画像表示システムは、新郎新婦用の表示手段と参列者用の表示手段が異なり、それぞれに違う映像を表示できるものの、それ以上のことはできなかった。すなわち、席配置や料理の食器に合わせた演出はできなかった。
【０００７】
この発明は、上述の問題に鑑み、テーブルに添えられる席数や載せられる料理の食器に合わせた画像による演出をテーブル上に表示することができる操作表示装置、およびこの操作表示装置を有する演出システムを提供し、利用者の満足度を向上させることを目的とする。
【課題を解決するための手段】
【０００８】
この発明は、テーブル上面へのタッチ入力を検知する入力検知手段と、該テーブル上面に映像を表示する表示手段と、前記テーブル上に配置する載置物の位置を指定する配置指示画像を前記表示手段に表示させる配置指示手段と、前記配置指示手段にて指示した位置に配置された載置物により演出が妨げられないように該載置物の位置と異なる位置を主とする演出画像を表示する演出手段とを有する操作表示装置であることを特徴とする。
【０００９】
前記入力検知手段は、タッチ入力された座標を検知するタッチパネル、超音波を送受信して入力座標を検知する超音波座標検知装置、あるいはデジタルカメラで画像取得して画像解析を行い入力座標を検知する画像認識装置など、任意の場所へのタッチ入力の検知が可能な適宜の装置で構成することができる。
【００１０】
前記表示装置は、液晶ディスプレイ、有機ＥＬディスプレイ、またはテーブル上面に設けられた半透明板と該半透明板に映像を投影するプロジェクタなど、表示を行う装置で構成することができる。
【００１１】
前記配置指示画像は、載置物の形状のマークや載置物の画像、あるいはセッティングの基準点など、載置物の配置を指示する画像で構成することができる。  
前記演出画像は、風景画像、幾何学模様、写真、あるいはゲーム画像など、演出を行う適宜の画像により構成することができ、１枚の画像で構成する静止画、あるいは複数枚の画像で構成する動画とすることができる。
【００１２】
この発明により、テーブル上面で載置物位置を考慮した画像による演出を行うことができ、利用者の満足度を向上させることができる。
【００１３】
この発明の態様として、前記演出手段は、前記配置指示画像により指定した所定位置に注目を集めるように前記表示手段の表示により演出する所定位置注目処理を実行する構成とすることができる。
【００１４】
前記所定位置注目処理は、所定位置や所定位置周辺で、明るい画像を表示する、赤色に表示する、あるいは「注目」などの文字を表示するなど、適宜の表示を行う処理とすることができる。
【００１５】
この態様により、所定の位置に利用者の視線を向けさせることができ、例えば乾杯用のグラスを明瞭に示すといったことができる。
【００１６】
またこの発明の態様として、前記配置指示画像は、配置指示する複数の載置物位置のうち所定の載置物位置を特定できる載置物別特定可能画像として構成することができる。  
これにより、所定の載置物に利用者の注目を集めさせることができる。
【００１７】
またこの発明の態様として、演出に用いる演出画像を作成する演出画像作成手段と、前記配置指示画像または該配置指示画像に従って載置物が配置されたイメージを示す載置物配置イメージ画像を、前記作成した演出画像に重ねて表示するテスト確認手段とを備えることができる。
【００１８】
これにより、載置物配置イメージ画像または配置指示画像が重なった状態の演出画像を確認でき、実際に近い見え方で演出効果を事前確認することができる。
【００１９】
またこの発明の態様として、席数別に１人分の領域を示す席数別領域データと、料理種別に応じた１人分の載置物の配置を示す配置画像データとを記憶する記憶手段と、前記席数と前記料理種別との入力を許容する入力手段と、前記入力手段で入力された席数と料理種別に基づいて、前記記憶手段の席数別領域データと配置画像データを利用して前記配置指示画像を作成する配置指示画像作成手段とを備えることができる。  
これにより、配置画像データの量を少なくして、料理種別と席数に応じた配置指示画像をその都度作成することができる。
【００２０】
またこの発明は、複数の操作表示装置と、該操作表示装置に表示させる映像をコントロールする管理装置とを備え、前記操作表示装置は、テーブル上面へのタッチ入力を検知する入力検知手段と、該テーブル上面に映像を表示する表示手段と、前記テーブル上に配置する載置物の位置を指定する配置指示画像を前記表示手段に表示させる配置指示手段と、前記配置指示手段にて指示した位置に配置された載置物により演出が妨げられないように該載置物の位置と異なる位置を主とする演出画像を表示する演出手段とを有する構成である演出システムとすることができる。
【００２１】
これにより、複数の操作表示装置に表示する配置指示画像や演出画像を管理装置によってコントロールすることができる。
【発明の効果】
【００２２】
この発明により、テーブルに添えられる席数や載せられる料理の載置物に合わせた画像による演出をテーブル上に表示することができる操作表示装置、およびこの操作表示装置を有する演出システムを提供し、利用者の満足度を向上させることができる。
【図面の簡単な説明】
【００２３】
【図１】表示映像コントロールシステムの利用状態を説明する説明図。
【図２】演出テーブル装置の平面図。
【図３】表示映像コントロールシステムのブロック図。
【図４】テンプレートデータの構成を示す説明図。
【図５】映像制御用の各種データの構成を示す説明図。
【図６】メインメニュー画面と映像登録画面の構成を示す説明図。
【図７】映像編集画面の画面構成を示す説明図。
【図８】演出テーブル装置のモニタに表示する映像の説明図。
【図９】卓数登録画面と再生制御データ登録画面の構成を示す説明図。
【図１０】データ転送画面と再生制御画面の構成を示す説明図。
【図１１】再生制御画面の表示例を示す説明図。
【図１２】表示映像コントロールシステムの全体の処理を示すフローチャート。
【図１３】管理装置が実行する登録編集処理の動作を示すフローチャート。
【図１４】再生させる映像をコントロールする処理のフローチャート。
【図１５】演出テーブル装置のモニタに表示する映像例の説明図。
【図１６】ゲームをする処理のフローチャート。
【図１７】演出テーブル装置の斜視図。
【発明を実施するための形態】
【００２４】
この発明の一実施形態を以下図面と共に説明する。  
【実施例】
【００２５】
図１は、表示映像コントロールシステム１の利用状態を説明する説明図であり、図２は、演出テーブル装置７の平面図を示す。  
図１に示すように、表示映像コントロールシステム１は、管理装置２と、ルータ４と、各ゲストテーブルに１台設置された複数のＨＵＢ５と、各ＨＵＢ５に複数接続されて各ゲストテーブルに複数設置された演出テーブル装置７と、プロジェクタ９とで構成されている。この表示映像コントロールシステム１は、全ての演出テーブル装置７に表示する映像をコントロールすると共に、プロジェクタ９によりスクリーンＳに投影する映像もコントロールする。
【００２６】
図２に示すように、演出テーブル装置７は、平面視円形のテーブルであり、図示するように外周近くに食器３が人数分円形に等間隔で配置されて使用される。
【００２７】
演出テーブル装置７の上面中央には、花等による物理的装飾６が施されている。そして、物理的装飾６と食器３の間の領域は、演出領域８として利用される。図示の例では、この演出領域８にルーレットの画像を表示している。
【００２８】
図３に示すように、管理装置２には、ルータ４が接続され、このルータ４に複数台のＨＵＢ５が接続されている。ＨＵＢ５には、参加者用の複数台の演出テーブル装置７が接続されている。また、管理装置２には、会場全体用のプロジェクタ９も接続されている。これらの装置間の接続は、ＬＡＮケーブルなどを利用した有線接続とする、あるいは無線ＬＡＮやブルートゥースを利用した無線接続とするなど、通信可能な適宜の接続とすることができる。
【００２９】
管理装置２は、キーボードやマウスといった入力装置、液晶ディスプレイやＣＲＴディスプレイといった表示装置、ＬＡＮボードなどの通信装置、ハードディスクなどの記憶装置、ＣＰＵなどの制御装置、およびＵＳＢなどの接続インターフェースを備えた適宜のコンピュータにより構成されており、これらのハードウェアを用いて次の機能ブロックが実現される。
【００３０】
この管理装置２は、上記各装置を利用するソフトウェアによる情報処理の機能ブロックとして、メニュー操作部１１、映像登録編集部１２、卓数登録部１３、再生順登録部１４、記憶部１５、データ転送部１６、再生制御部１７、表示制御部１８、信号集計部１９、および通信ＩＦ部２０が設けられている。
【００３１】
メニュー操作部１１は、メインメニュー画面５０（図６（Ａ）参照）を表示装置に表示し、入力装置による操作入力を受けて各処理に移行する処理を実行する。
【００３２】
映像登録編集部１２は、映像登録画面６０（図６（Ｂ）参照）を表示装置に表示し、入力装置による操作入力を受けて映像（動画および静止画）を記憶部１５に登録する登録処理と、映像編集画面７０（図７参照）を表示装置に表示し、入力装置による操作入力を受けて映像を編集する編集処理とを実行する。
【００３３】
卓数登録部１３は、卓数登録画面８０（図９（Ａ）参照）を表示装置に表示し、入力装置による操作入力を受けて卓数（ゲストテーブルの数）および各卓のゲスト名等を記憶部１５に登録する処理を実行する。
【００３４】
再生順登録部１４は、再生制御データ登録画面９０（図９（Ｂ）参照）を表示装置に表示し、入力装置による操作入力を受けて卓数（ゲストテーブルの数）および各卓のゲスト名等を記憶部１５に登録する処理を実行する。
【００３５】
記憶部１５は、図４に示す席数テンプレートファイル４１、食器配置テンプレートファイル４２、図５に示す映像データファイル４３、卓数データファイル４４、および再生制御データファイル４５を記憶している。
【００３６】
データ転送部１６は、データ転送画面１００（図１０（Ａ）参照）を表示装置に表示し、入力装置による操作入力を受けて、再生制御データ登録画面９０で登録された映像を記憶部１５から演出テーブル装置７（指定のデバイス）へ転送する処理を実行する。
【００３７】
再生制御部１７は、再生制御画面１１０（図１０（Ｂ）参照）を表示装置に表示し、入力装置による操作入力を受けて各演出テーブル装置７に再生させる映像をコントロールする処理を実行する。
【００３８】
表示制御部１８は、信号集計部１９から受け取るデータを含めてプロジェクタ９に表示する内容を制御する処理を実行する。
【００３９】
信号集計部１９は、演出テーブル装置７でタッチ入力された信号を通信ＩＦ部２０を介して受信し、このタッチ入力された信号を集計して表示制御部１８へ伝達する。集計する内容は、例えばゲームの回答の集計などである。  
通信ＩＦ部２０は、ルータ４およびＨＵＢ５を介して演出テーブル装置７と通信する処理を実行する。
【００４０】
ルータ４およびＨＵＢ５は、管理装置２と演出テーブル装置７の間のデータの送受信を中継する。
【００４１】
演出テーブル装置７は、テーブル上面に設けられたタッチパネルで構成される入力装置、テーブル上面に映像（画像）を表示する表示装置、ＬＡＮボードなどの通信装置、不揮発性メモリなどの記憶装置、ＣＰＵなどの制御装置、およびＵＳＢなどの接続インターフェースを備えた適宜のコンピュータにより構成されており、これらのハードウェアを用いて次の機能ブロックが実現される。なお、表示装置は、タッチパネルが設けられた上面板に映像を投影するプロジェクタ、液晶ディスプレイや有機ＥＬディスプレイなど、映像（画像）を表示する適宜の装置で構成することができる。
【００４２】
この演出テーブル装置７は、上記各装置を利用するソフトウェアによる情報処理の機能ブロックとして、通信ＩＦ部３１、記憶部３４、演出制御部３５、表示制御部３６、表示入力部３７、および入力検出部３８が設けられている。
【００４３】
通信ＩＦ部３１は、接続された適宜の装置と通信する処理を実行する。この通信により、たとえば映像データを取得する、映像の再生指示を取得するといったことができる。  
演出制御部３５は、通信ＩＦ部３１を介して受信する制御信号４６（図５参照）に基づき、記憶部３４に記憶されている映像データを読み出して再生指示する処理を実行する。
【００４４】
記憶部３４は、演出に用いる多数の映像データを記憶している。この映像データには、少なくともＩＤまたは名前といったユニークな識別情報が付与されており、適切な映像データを適切なタイミングで再生できるようにしている。この記憶部３４は、不揮発性メモリやハードディスク等で構成することができる。
【００４５】
表示制御部３６は、演出制御部３５が読み出した映像データを表示入力部３７のモニタ３７ａに表示する。この表示制御部３６は、例えばＶＲＡＭ（Video Random Access Memory）を備えて構成することができる。
【００４６】
表示入力部３７は、モニタ３７ａに映像を表示する機能と、モニタ３７ａに重ねて設けられたタッチパネル３７ｂがタッチされると該タッチ入力を送信する機能とを実行する。  
入力検出部３８は、タッチパネル３７ｂでタッチ入力された信号を、演出制御部３５へ伝達する処理を実行する。
【００４７】
図４は、記憶部３４にテンプレートとして記憶しているデータの構成を示す説明図である。このテンプレートとしては、席数テンプレートファイル４１および食器配置テンプレートファイル４２が記憶されている。
【００４８】
図４（Ａ）に示すように、席数テンプレートファイル４１は、ＩＤ、テーブル種別、人数、領域画像、および各席位置とにより構成されている。  
これにより、ＩＤ毎に、テーブル種別について、何人着席する場合であれば領域画像がどうなるか、各席位置がどうなるかを示している。従って、テーブル種別と人数が決まれば、領域画像と各席位置が定まるように構成されている。
【００４９】
図４（Ｂ）に示すように、食器配置テンプレートファイル４２は、ＩＤ、料理タイプ、配置指示画像、および配置位置により構成されている。  
これにより、ＩＤ毎に、料理タイプに応じた食器の配置指示を行う配置指示画像や、その配置位置を定めることができる。従って、洋食や和食、和洋折衷などの料理と、コースによって異なる食器配置について、その料理タイプ毎に配置指示画像と配置位置を定めることができる。
【００５０】
また、このように定まった配置指示画像を、前記席数テンプレートファイル４１の領域画像に対応させて人数分配置することで、テーブル上に配置される全ての食器について、食器配置を定めることができる。
【００５１】
図５は、映像データやその再生制御用のデータの構成を示す説明図である。このデータは、映像データファイル４３と、卓数データファイル４４と、再生制御データファイル４５とで構成されている。
【００５２】
映像データファイル４３は、図５（Ａ）に示すように、ＩＤ、名称、および映像データアドレスにより構成されている。これにより、映像データを管理することができる。
【００５３】
卓数データファイル４４は、図５（Ｂ）に示すように、卓Ｎｏ，席Ｎｏ，氏名、肩書き、及び、備考により構成されている。この卓Ｎｏで演出テーブル装置７を特定できるようにしており、卓Ｎｏを演出テーブル装置７のＩＤとしている。
【００５４】
再生制御データファイル４５は、図５（Ｃ）に示すように、ＩＤと、順番と、シーン名と、種類と、映像ＩＤとで構成されている。これにより、どの順番で映像を再生するか制御することができる。
【００５５】
図５（Ｄ）は、管理装置２が演出テーブル装置７に送信する制御信号４６のデータ構成を示している。この制御信号４６は、ヘッダ、対象機器、動作指示、内容データ、およびフッタにより構成されている。
【００５６】
ヘッダは、制御信号の開始を示すデータである。  
対象機器は、その制御信号４６が動作させたい対象の機器を示しており、演出テーブル装置７にユニークに付与されたＩＤで構成されている。  
動作指示は、指定した映像データの再生開始指示、送信する映像データの記憶支持など、演出テーブル装置７に実行させたい動作の指示が記憶されている。
【００５７】
内容データは、再生させたい映像データのＩＤや、記憶させたい映像データなど、適宜のデータが記憶されている。  
フッタは、制御信号４６の終了を示すデータである。
【００５８】
図６（Ａ）は、メニュー操作部１１により表示されるメインメニュー画面５０の画面イメージの構成図である。  
メインメニュー画面５０は、事前準備領域５１、本番操作領域５６、および終了ボタン５９が設けられている。
【００５９】
事前準備領域５１は、映像登録編集ボタン５２、卓数登録ボタン５３、および再生順登録ボタン５４が設けられている。  
映像登録編集ボタン５２は、押下されると、映像登録編集部１２に処理を渡し、映像登録画面６０や映像編集画面７０を表示する。
【００６０】
卓数登録ボタン５３は、押下されると、卓数登録部１３に処理を渡し、卓数登録画面８０を表示する。
【００６１】
再生順登録ボタン５４は、押下されると、再生順登録部１４に処理を渡し、再生制御データ登録画面９０を表示する。
【００６２】
データ転送ボタン５５は、押下されると、データ転送部１６に処理を渡し、データ転送画面１００を表示する。
【００６３】
本番操作領域５６は、再生制御ボタン５７、および集計表示ボタン５８が設けられている。  
再生制御ボタン５７は、押下されると、再生制御部１７に処理を渡し、再生制御画面１１０を表示する。  
集計表示ボタン５８は、押下されると、表示制御部１８に処理を渡し、図示省略する集計画面をプロジェクタ９によりスクリーンＳに投影する。また同時に、プロジェクタ９に表示する集計画面を、各演出テーブル装置７にも表示させる。このときの表示は、管理装置２が映像データを演出テーブル装置７に直接送信し、演出テーブル装置７が受信した映像データを再生表示するとよい。この集計画面は、静止画像とすることで、データ量を少なくし、短時間に演出テーブル装置７へ送信して表示することができる。
【００６４】
図６（Ｂ）は、映像登録編集部１２により表示される映像登録画面６０の画面イメージの構成図である。  
映像登録画面６０は、ストック映像保存場所選択部６１と、ストック映像選択部６２と、登録先選択部６３と、登録映像設定部６４と、キャンセルボタン６５と、登録ボタン６６とで構成されている。
【００６５】
ストック映像保存場所選択部６１は、管理装置２内や外部の記憶装置にストックされている映像の入っているフォルダを探し出して選択するドロップダウンリストである。
【００６６】
ストック映像選択部６２は、ストック映像保存場所選択部６１で指定されたフォルダ内から必要な映像データを選択する部位である。このストック映像選択部６２で選択された映像データは、登録予定の映像データとして登録映像設定部６４に表示される。
【００６７】
登録先選択部６３は、演出テーブル装置７の記憶装置において映像データと登録するフォルダを探し出して選択するドロップダウンリストである。  
登録映像設定部６４は、ストック映像選択部６２で選択された映像データが一覧表示される。  
キャンセルボタン６５は、処理をキャンセルするボタンであり、登録ボタン６６は、指定された映像データの演出テーブル装置７への登録を実行するボタンである。
【００６８】
図７は、映像編集画面７０の画面構成を示す説明図である。  
映像編集画面７０は、編集する映像についての設定を入力する設定部７０ａと、映像を編集する編集部７０ｂとで構成されている。  
設定部７０ａは、シーン名を入力するシーン名入力部７１と、テーブル種別を選択するテーブル種別選択部７２と、席数を選択する席数選択部７３と、料理種別を選択する料理種別選択部７４とが設けられている。
【００６９】
ここで選択されるテーブル種別と席数により、テンプレートとして利用する席数テンプレートが定まり、さらに料理種別により、食器配置テンプレートが定まる。
【００７０】
編集部７０ｂは、食器表示のＯＮ／ＯＦＦを切り替える食器表示切替ボタン７５、映像表示部７６、再生コントロール部７７、およびスライダーバー７８が設けられている。
【００７１】
映像表示部７６は、設定部７０ａで選択されたテーブル種別に従ったサイズのテーブル画像を表示しており、その上に重ねて中央の物理的演出部７６ａ、映像演出部７６ｂ、食器配置部７６ｃが表示されている。
【００７２】
物理的演出部７６ａは、花や発光装飾器具などにより物理的な装飾が施される領域である。この領域には、物理的な演出のイメージ画像を表示してもよいが、図示しているように空白のままにしておいてもよい。
【００７３】
映像演出部７６ｂは、映像により演出を行う領域であり、食器や物理的装飾が重ならずに確実に参加者に見せることができる領域を示している。  
食器配置部７６ｃは、席数テンプレートファイル４１からテーブル種別と席数に一致する領域画像を取得し、各領域に、料理種別と一致する配置指示画像を食器配置テンプレートファイル４２から取得して配置することで食器が表示される。この食器の表示は、食器表示切替ボタン７５のＯＮ／ＯＦＦによって表示／非表示が切り替わる。
【００７４】
再生コントロール部７７は、編集している映像が動画映像である場合に、再生、停止、早送り、巻き戻しといった操作を行うコントロール部である。
【００７５】
スライダーバー７８は、編集している映像が動画映像である場合に、任意の位置を表示するようにスライドさせるバーである。  
なお、編集している映像が静止画映像である場合、再生コントロール部７７やスライダーバー７８は機能しない。
【００７６】
図８は、上述した映像演出部７６ｂ、および食器配置部７６ｃの構成を説明する説明図である。図８（Ａ）〜（Ｃ）は、いずれも１席分の画像を拡大表示している。
【００７７】
図８（Ａ）は、映像演出部７６ｂと食器配置部７６ｃを示す配置指示画像１３１を示している。この配置指示画像１３１は、食器の配置を指示する食器配置部７６ｃと、演出用に物を載置せずに開けておくべき映像演出部７６ｂとを表示している。この配置指示画像１３１には、演出時に注目させるべき食器の配置も含まれている。食器配置部７６ｃは、配置される食器の平面視の面積・形状と同一かほぼ同一の面積・形状に形成されている。
【００７８】
図８（Ｂ）は、演出画像１３６を示している。図示する演出画像１３６は、乾杯用のグラスを注目させるための演出画像であり、注目食器部７６ｄに合わせて明るく発光するような画像で構成されている。この注目食器部７６ｄの位置は、図８（Ａ）に示した食器配置部７６ｃにおける乾杯用グラスの位置と一致している。このため、会場係員が配置指示画像１３１に従って食器を配置しておけば、後の演出にて適切な食器を注目させることを実現できる。
【００７９】
図８（Ｃ）は、別の演出画像１３６を示している。図示する演出画像１３６は、映像演出部７６ｂに演出画像を表示している。これにより、食器配置部７６ｃに重なって演出画像が見えないといったことを防止し、適切な演出を実現できるようにしている。
【００８０】
図８（Ｄ）は、演出画像１３６の上に配置指示画像１３１をレイヤーとして重ねて表示したテスト確認画像を示している。図７で説明した食器表示切替ボタン７５がＯＮに切り替えられると、この図８（Ｄ）に示すように演出画像１３６の上に配置指示画像１３１を重ねて表示し、実際の見え方を確認できるようにしている。
【００８１】
図９（Ａ）は、卓数登録部１３により表示される卓数登録画面８０の画面イメージの構成図である。  
卓数登録画面８０は、更新ボタン８１、卓数入力部８２、ゲスト入力部８３、キャンセルボタン８４、および登録ボタン８５が設けられている。
【００８２】
更新ボタン８１は、押下されると、卓数入力部８２に入力されている卓数までゲスト入力部８３に入力することを可能とするように表示を更新する。  
卓数入力部８２は、卓数を入力させるテキストボックスである。
【００８３】
ゲスト入力部８３は、卓番号、席番号、氏名、肩書き、および備考などを入力許容する領域である。ここで、卓番号は、卓数入力部８２で入力された数の種類までしか入力できないように構成されている（図示の例ではＡ〜Ｊの１０個）。  
キャンセルボタン８４は、処理をキャンセルするボタンであり、登録ボタン８５は、入力された卓数やゲスト情報を記憶部１５に登録するボタンである。
【００８４】
図９（Ｂ）は、再生順登録部１４により表示される再生制御データ登録画面９０の画面イメージの構成図である。  
再生制御データ登録画面９０は、ユーザ情報表示部９１、再生制御データ入力部９２、キャンセルボタン９３、および登録ボタン９４が設けられている。
【００８５】
ユーザ情報表示部９１は、このデータを用いるユーザの情報を入力・表示する部位である。このユーザ情報表示部９１は、メインメニュー画面５０、映像登録画面６０、卓数登録画面８０、データ転送画面１００、および再生制御画面１１０といった他の画面にも設けてもよい。
【００８６】
再生制御データ入力部９２は、再生制御用のデータの入力を許容する領域であり、ＩＤ、順番、シーン名、種類、卓、席、映像ＩＤ、および解除映像ＩＤで構成されている。
【００８７】
ＩＤはそのデータのＩＤであり、順番は何番目に用いられるデータであるかを示している。
【００８８】
シーン名はどのシーンに用いるかわかり易くするように名前を付けるものであり、種類は動画映像や静止画といった種類をわかりやすく表示する。
【００８９】
卓はどの卓かを示すアルファベットが入力され、席はどの席かを示す数字が入力され、映像ＩＤは再生する映像データのＩＤが入力されている。
【００９０】
解除映像ＩＤは、例えば他の卓と異なる映像データを表示する設定となっている演出テーブル装置７について、当該異なる映像データの表示を終了した際にどの映像データを表示するか示すものである。これにより、一時的に特定の演出テーブル装置７で特別な映像を再生していても、この再生をした後、他の卓と同じ映像を表示するといったことが可能になる。
【００９１】
キャンセルボタン９３は、処理をキャンセルさせるボタンであり、登録ボタン９４は、入力された再生制御データを記憶部１５に登録するボタンである。
【００９２】
図１０（Ａ）は、データ転送部１６により表示されるデータ転送画面１００の画面イメージの構成図である。  
データ転送画面１００は、転送データ一覧表示部１０１と、転送先表示部１０２と、転送ボタン１０３と、キャンセルボタン１０４とが設けられている。
【００９３】
転送データ一覧表示部１０１は、再生制御データ登録画面９０で指定された全ての映像データを一覧表示し、この映像データが転送されることを示す。  
転送先表示部１０２は、転送データ一覧表示部１０１に表示した映像データを転送する先を指定させる領域であり、例えば演出テーブル装置７が指定される。ここで、演出テーブル装置７は、管理装置２に対してルータ４やＨＵＢ５を介して接続されることに限らず、ＵＳＢなどの他のインターフェースを用いて接続し、直接的にデータ転送する構成にしてもよい。  
転送ボタン１０３は、転送を実行するボタンであり、キャンセルボタン１０４は、転送をキャンセルするボタンである。
【００９４】
図１０（Ｂ）は、再生制御部１７により表示される再生制御画面１１０の画面イメージの構成図である。  
再生制御画面１１０は、再生映像コントロール領域１１１と、次へボタン１１３と、再生状態確認領域１１４とで主に構成されている。
【００９５】
再生映像コントロール領域１１１は、シーン選択ボタン１１２が複数順番に並べて配置されている。このシーン選択ボタン１１２は、押下操作されると、そのシーンに選択されている映像を再生するように各卓の演出テーブル装置７に制御信号４６を送信するためのものである。
【００９６】
次へボタン１１３は、押下操作されると、現在映像を再生しているシーンについてのシーン選択ボタン１１２から、次のシーン選択ボタン１１２へと進める。すなわち、通常は、この次へボタン１１３を押下操作するだけで、各卓の演出テーブル装置７に表示する映像が正しい順番で切り替わるようになっている。
【００９７】
再生状態確認領域１１４は、どの卓にどの映像を再生しているかをオペレータが認識できるように表示する領域である。この再生状態確認領域１１４には、卓マーク１１５と、卓上表示装置マーク１１６が実際の配置に近いイメージで表示される。卓マーク１１５と卓上表示装置マーク１１６の数は、卓数データファイル４４の卓Ｎｏ．の数から決定することができる。また、卓上表示装置マーク１１６には、再生している映像を映像プレビューとして表示する。
【００９８】
図１１（Ａ）は、ある１つの卓に設置されている複数の演出テーブル装置７が、他の卓の演出テーブル装置７と異なる映像を表示している状態を示している。このとき、その異なる映像を表示している演出テーブル装置７の卓上表示装置マーク１１６ｂが、他の多くの卓上表示装置マーク１１６ａと異なる映像を表示している。これにより、どの卓のどの席に設置された演出テーブル装置７が、どの映像を再生しているのか容易かつ明瞭に確認することができる。
【００９９】
また、図１１（Ｂ）は、１つの卓の１つの席に対応する部分にのみ他と異なる映像を表示する例を示している。この場合も卓上表示装置マーク１１６ａにより多くの演出テーブル装置７に表示する映像を示し、卓上表示装置マーク１１６ｂにより一部の演出テーブル装置７に表示する映像を示している。
【０１００】
図１２は、表示映像コントロールシステム１の全体の処理を示すフローチャートである。  
管理装置２のメニュー操作部１１（図３参照）は、表示装置にメインメニュー画面５０（図６（Ａ）参照）を表示する（ステップＳ１）。
【０１０１】
映像登録編集ボタン５２が押下されると（ステップＳ２：Ｙｅｓ）、映像登録編集部１２は、後述の映像登録編集処理を実行する（ステップＳ３）。
【０１０２】
卓数登録ボタン５３が押下されると（ステップＳ４：Ｙｅｓ）、卓数登録部１３は、卓数登録画面８０を表示し、卓数登録処理を実行する（ステップＳ５）。
【０１０３】
再生順登録ボタン５４が押下されると（ステップＳ６：Ｙｅｓ）、再生順登録部１４は、再生制御データ登録画面９０を表示し、再生順登録処理を実行する（ステップＳ７）。
【０１０４】
データ転送ボタン５５が押下されると（ステップＳ８：Ｙｅｓ）、データ転送部１６は、データ転送画面１００を表示し、データ転送処理を実行する（ステップＳ９）。
【０１０５】
再生制御ボタン５７が押下されると（ステップＳ１０：Ｙｅｓ）、再生制御部１７は、再生制御画面１１０を表示し、再生制御処理を実行する（ステップＳ１１）。
【０１０６】
集計表示ボタン５８が押下されると（ステップＳ１２：Ｙｅｓ）、信号集計部１９による集計を行い、表示制御部１８は、図示省略する集計画面をプロジェクタ９によりスクリーンＳに投影する集計表示処理を実行する（ステップＳ１３）。
【０１０７】
終了ボタン５９が押下されるまで処理を継続し（ステップＳ１４：Ｎｏ）、終了ボタン５９が押下されると（ステップＳ１４：Ｙｅｓ）、処理を終了する。
【０１０８】
図１３は、管理装置２が実行する登録編集処理の動作を示すフローチャートである。  
まず、管理装置２の映像登録編集部１２は、図示省略する登録編集選択画面を表示し（ステップＳ２１）、映像の登録を行うか編集を行うかを利用者に選択させる（ステップＳ２２）。
【０１０９】
登録が選択された場合（ステップＳ２２：Ｎｏ）、映像登録編集部１２は、映像登録画面６０を表示し（ステップＳ２３）、映像登録処理を実行して（ステップＳ２４）、処理を終了する。
【０１１０】
編集が選択された場合（ステップＳ２２：Ｙｅｓ）、映像登録編集部１２は、映像編集画面７０を表示し（ステップＳ２５）、映像編集を許容する。
【０１１１】
この映像編集画面７０では、設定部７０ａが変更されると（ステップＳ２６：Ｙｅｓ）、映像登録編集部１２が、テーブル種別や席数や料理種別に応じたテンプレート画像を席数テンプレートファイル４１および食器配置テンプレートファイル４２から抽出し、このテンプレート画像を用いるように編集部７０ｂを更新する（ステップＳ２７）。
【０１１２】
食器表示切替ボタン７５のＯＮ／ＯＦＦが切り替え変更されると（ステップＳ２８：Ｙｅｓ）、映像登録編集部１２は、編集部７０ｂに表示する食器配置部７６ｃの表示のＯＮ／ＯＦＦを切り替えて更新する（ステップＳ２９）。
【０１１３】
再生コントロール部７７が操作されると（ステップＳ３０：Ｙｅｓ）、映像登録編集部１２は、操作された再生コントロール指示に従って編集部７０ｂの表示を更新する（ステップＳ３１）。この再生コントロール指示には、再生、停止、早送り、巻き戻しがあるため、編集中の映像が動画映像であれば、これらの表示を実行する。
【０１１４】
ツールバー７９等を使った映像の編集操作が利用者に行われると（ステップＳ３２：Ｙｅｓ）、映像登録編集部１２は、編集操作に応じて編集部７０ｂの映像表示部７６の表示を更新する（ステップＳ３３）。この編集では、主に映像演出部７６ｂに表示する演出用の映像（動画映像や静止画映像）について、表示位置の変更や拡大縮小、エフェクト効果の適用、文字の入力など、様々な編集を許容する。
【０１１５】
映像登録編集部１２は、利用者によって終了されるまで編集処理を許容し（ステップＳ３４：Ｎｏ）、終了されると（ステップＳ３４：Ｙｅｓ）、編集データを記憶部１５に保存して（ステップＳ３５）、処理を終了する。
【０１１６】
図１４は、表示映像コントロールシステム１を用いて演出テーブル装置７に再生させる映像をコントロールする処理のフローチャートを示す。  
上述した再生制御処理（ステップＳ１１）が開始されると、再生制御部１７は、表示装置に再生制御画面１１０を表示する（ステップＳ４１）。
【０１１７】
再生制御部１７は、映像進行に関する操作がなされるまで待機し（ステップＳ４２：Ｎｏ）、操作がなされると（ステップＳ４２：Ｙｅｓ）、次の再生制御データを読み出して（ステップＳ４３）、制御信号４６として全ての演出テーブル装置７に送信する（ステップＳ４４）。
【０１１８】
再生制御部１７は、終了ボタン５９の押下による終了操作がなされるまで（ステップＳ４５：Ｎｏ）、ステップＳ４２に処理を戻して継続し、終了操作がされると（ステップＳ４５：Ｙｅｓ）、処理を終了する。
【０１１９】
一方、演出テーブル装置７の演出制御部３５は、上記ステップＳ４４で送信された制御信号４６を通信ＩＦ部３１から受信すると（ステップＳ４６：Ｙｅｓ）、制御信号４６で指定された対象機器に自己が該当するか否か判定する（ステップＳ４７）。
【０１２０】
該当する場合（ステップＳ４７：Ｙｅｓ）、指定された映像を演出制御部３５が記憶部３４から読み出し、表示制御部３６が表示入力部３７に表示して映像の再生を開始する（ステップＳ４８）。この後、映像は再生し続ける。
【０１２１】
再生する映像としては、例えば図１５（Ａ）に示す食器配置表示、図１５（Ｂ）に示す席札表示、図１５（Ｃ）に示す乾杯用グラスお知らせ表示、図１５（Ｄ）に示す演出表示、図１５（Ｅ）に示すメモリアル表示、図１５（Ｆ）に示すゲーム画面など、様々な映像を採用することができる。
【０１２２】
図１５（Ａ）に示す食器配置表示では、配置指示画像１３１、映像用配置禁止領域１３２、および物理的装飾用領域１３３を表示する。
【０１２３】
図１５（Ｂ）に示す席札表示では、その演出テーブル装置７に割り当てられた参加者の氏名である席札表示部１３４を表示する。
【０１２４】
図１５（Ｃ）に示す乾杯用グラスお知らせ表示では、配置指示画像１３１で指定した食器のうちの乾杯用グラスの位置を示す配置指示画像１３１の周辺を明るく光らせる注目表示１３５を表示する。
【０１２５】
図１５（Ｄ）に示す演出表示では、演出画像１３６を表示する。図示の例では、演出画像１３６が図１５（Ａ）に示した配置指示画像１３１にまで存在しているが、食器が配置されて配置指示画像１３１の部分が隠れても映像用配置禁止領域１３２が見えれば十分演出できる映像が表示されている。
【０１２６】
図１５（Ｅ）に示すメモリアル表示では、図１５（Ａ）に示した映像用配置禁止領域１３２に写真１３７を複数表示している。この写真１３７は、新郎新婦の過去の写真や、結婚式の写真など、適宜の写真にするとよい。
【０１２７】
図１５（Ｆ）に示すゲーム画面は、図１５（Ａ）に示した映像用配置禁止領域１３２に回答入力部１３８が表示されている。この例では４択問題に対する回答を入力する構成となっており、回答入力部１３８の４領域のどれがタッチ入力されたかを検知する。
【０１２８】
制御信号４６を受信していないときや（ステップＳ４６：Ｎｏ）、対象機器に該当しないとき（ステップＳ４７：Ｎｏ）、表示制御部３６は、ＥＯＦ（エンド・オブ・ファイル）か否か確認する（ステップＳ４９）。
【０１２９】
ＥＯＦでなければ（ステップＳ４９：Ｎｏ）、制御信号４６の受信チェック（ステップＳ４６）を継続し、ＥＯＦであれば（ステップＳ４９：Ｙｅｓ）、表示制御部３６は、再生していた指定映像の最初に戻ってリピート再生を行い（ステップＳ５０）、ステップＳ４６へ処理を戻す。これにより、披露宴の進行の遅延などによって映像により演出する時間が想定時間よりも長くなっても、同じ映像をリピート再生することで問題なく演出を継続できる。
【０１３０】
図１６は、表示映像コントロールシステム１を用いてゲームをする処理のフローチャートを示す。  
演出テーブル装置７は、タッチパネル３７ｂにタッチがされて入力操作を受け付けるまで待機する（ステップＳ６１：Ｎｏ）。
【０１３１】
ここで、演出テーブル装置７は、入力操作を許容する領域以外の領域でタッチを検知しても、これを無視する。すなわち、図１５（Ｆ）に示したように、回答入力部１３８に４つのタッチ入力領域を表示し、４択式でクイズに答える入力操作を受け付ける場合、入力検出部３８が回答入力部１３８以外の部分でタッチされたと検知しても、タッチパネル３７ｂからの入力信号を入力検出部３８が消去して無視する。これにより、回答入力部１３８以外の部分に置かれている食器を入力操作と誤検知することや、着席者がテーブルの回答入力部１３８以外の部分に手を載せたことを入力操作と誤検知することを防止している。
【０１３２】
入力操作を受け付けると（ステップＳ６１：Ｙｅｓ）、演出テーブル装置７は、入力された入力信号を管理装置２へ転送する（ステップＳ６２：Ｙｅｓ）。  
管理装置２は、入力信号を受信するまで待機し（ステップＳ６３：Ｎｏ）、入力信号を受信すると（ステップＳ６３：Ｙｅｓ）、信号集計部１９は、受信した入力信号を集計する（ステップＳ６４）。この集計では、例えば４択などの選択問題の回答に偏りがあるか、人数分の回答がきちんと得られているか否かなど、入力信号の集計を行う。  
表示制御部１８は、集計結果を受け取り、この集計結果を管理装置に表示する（ステップＳ６５）。
【０１３３】
以上の構成および動作により、テーブルに添えられる席数や載せられる料理の食器に合わせた演出画像１３６による演出をテーブル上に表示することができ、利用者の満足度を向上させることができる。
【０１３４】
また、演出画像１３６が食器により隠れることを防止できるため、テーブル席に着席する参加者が、食器により隠れることで不満を抱くことや、食器をどける必要性を排除することができ、利用者の満足度を向上させることができる。
【０１３５】
また、演出画像１３６は、配置指示画像１３１で配置指定した食器のうちの任意の載置物（乾杯用グラスや装飾用花など）を強調表示できるため、その食器に注目させることができる。このように、テーブル上の食器も利用した多様な演出を行うことができる。
【０１３６】
また、食器表示切替ボタン７５のＯＮ／ＯＦＦにより、演出画像作成中に、演出画像１３６に配置指示画像１３１を重ねて表示するか否か切り替えることができるため、実際に近い見え方で演出効果を事前確認することができる。
【０１３７】
また、管理装置２でデータを作成して演出テーブル装置７に事前に転送しておき、演出時に管理装置２が各演出テーブル装置７で再生する演出画像（映像）を制御する構成であるため、披露宴の進行に合わせて演出の進行をコントロールすることができる。
【０１３８】
また、テーブル上に載置する物の位置と演出画像を表示する領域とを指定できるため、テーブル上に載置した物と画像による演出とを合わせた総合的な演出を行うことができる。例えば、図１７に示すように、テーブル上に水の入ったクリアケース１７９を載置させ、そのクリアケース１７９の載置位置を指定しておけば、クリアケース１７９の底面領域に合わせて鯉が泳いでいる映像を流すといったことができる。この場合、物理的に載置したクリアケース１７９内で、仮想的に映像表示する鯉１７８が実際に泳いでいるかの如き演出を行うことができる。この場合、クリアケース１７９が載置される領域以外の領域には、通常の演出画像１３６を表示することで、クリアケース１７９の内外を別の領域として演出することができる。なお、図１７は、テーブル７ａの足部中央に本体７ｂを備え、該本体７ｂに通信ＩＦ部３１、記憶部３４、演出制御部３５、表示制御部３６、および入力検出部３８を収納した例の斜視図を示している。
【０１３９】
また、席数テンプレートファイル４１は、テーブル種別と人数に応じて領域画像を定め、食器配置テンプレートファイル４２により料理タイプ別の配置指示画像を定めたため、テーブル種別に人数分の配置指示画像を表示でき、効率よく配置指示画像１３１を作成することができる。
【０１４０】
なお、以上の実施形態では、管理装置２でデータ作成を行い、作成したデータを演出テーブル装置７に転送し、再生順序を管理装置２でコントロールする構成としたが、これに限らず適宜の構成とすることができる。
【０１４１】
例えば、演出テーブル装置７で個別に配置指示画像１３１や演出画像１３６を作成しておき、管理装置２から再生順を指示することで実現する構成にしてもよい。この場合、映像登録編集部１２を演出テーブル装置７に備えるとよい。このように構成した場合でも、上述と同一の作用効果を得ることができる。
【０１４２】
また、事前にデータを演出テーブル装置７に転送しておくのではなく、管理装置２から映像データをストリーミング配信し、演出テーブル装置７がこの映像データをストリーミング再生する構成にしてもよい。この場合も、上述と同一の作用効果を得ることができる。
【０１４３】
また、演出の当日の準備段階で配置指示画像１３１を表示するとき、メインテーブルの方向（すなわち正面）をも表示する構成にしてもよい。この場合、テーブル設置時に向きを間違えることを防止できる。従って、例えばメインテーブル側を注目させる表示をした場合に、テーブルの向きが逆であったために反対側を注目させるといったことを防止できる。
【０１４４】
また、披露宴が始まる前の待機状態のとき、演出テーブル装置７は、各席に参加者名を表示してもよい。この場合、席札として利用でき、参加者は自分の席を容易に確認して着席することができる。
【０１４５】
また、配置指示画像１３１を表示する際に、アレルギー体質等で特別メニューが必要な参加者の席に、その旨表示する構成にしてもよい。この場合、特別メニューとなる席を確認できるため、特別メニュー用の食器を別人のところに並べてしまうことを防止できる。なお、名前に変えてあるいは追加して、特別メニューである旨を表示してもよい。
【０１４６】
また、タッチパネル３７ｂの代わりに、超音波を送受信して入力座標を検知する超音波座標検知装置、あるいはデジタルカメラで画像取得して画像解析を行い入力座標を検知する画像認識装置など、任意の場所へのタッチ入力の検知が可能な適宜の装置を備えても良い。超音波座標検知装置の場合、テーブル７ａの上面縁付近に複数設置するとよく、画像認識装置の場合天井などある程度高い位置に備えるとよい。この場合も参加者のタッチ入力を検知でき、インタラクティブな演出を実現することができる。
【０１４７】
また、演出テーブル装置７を個別にコントロールすることを可能としてもよい。この場合、例えば手元操作が可能なリモートコントローラを演出テーブル装置７の１つずつに準備しておき、このリモートコントローラで無線信号を送信して個別に操作するといったことができる。
【０１４８】
この場合、リモートコントローラは、押下ボタンなどの入力装置と、無線信号を送信する通信装置と、データを記憶する記憶装置と、これらを制御する制御装置とを備えていればよい。通信装置は、赤外線通信装置や、ブルートゥース（登録商標）の通信装置など、適宜の装置を採用することができる。また、操作内容を確認できるように液晶ディスプレイなどの表示装置も備えても良い。  
また、演出テーブル装置７には、無線信号を受信する無線通信装置を備えておくとよい。
【０１４９】
送信する無線信号は、上述の実施例で説明した制御信号４６とする、あるいは制御信号４６から対象機器を除いた信号としてリモートコントローラ毎に異なる周波数で信号送信するなど、演出テーブル装置７とリモートコントローラを１対１で通信させる構成にすればよい。
【０１５０】
このように、集中コントロールと個別コントロールを併用することで、演出途中でトラブルが発生して集中コントロールができなくなったような場合に、個別コントロールに切り替えて演出操作を続行することができる。
【０１５１】
この発明の構成と、上述の実施形態との対応において、
この発明の操作表示システムは、実施形態の表示映像コントロールシステム１
に対応し、
以下同様に、
載置物は、食器３に対応し、
操作表示装置は、演出テーブル装置７に対応し、
演出画像作成手段は、映像登録編集部１２に対応し、
記憶手段は、記憶部１５に対応し、
表示手段は、モニタ３７ａに対応し、
入力検知手段は、タッチパネル３７ｂに対応し、
席数別領域データは、席数テンプレートファイル４１に対応し、
配置画像データは、食器配置テンプレートファイル４２に対応し、
テスト確認手段は、食器表示切替ボタン７５に対応し、
載置物別特定可能画像は、注目食器部７６ｄを表示する演出画像１３６に対応し、
載置物配置イメージ画像は、配置指示画像１３１に対応し、
配置指示手段は、配置指示画像１３１をモニタ３７ａに表示させる演出制御部３５に対応し、
演出手段は、演出画像１３６をモニタ３７ａに表示させる演出制御部３５に対応し、
所定位置注目処理は、図８（Ｃ）の注目食器部７６ｄを表示するステップＳ４８に対応し、
配置指示画像作成手段は、映像登録編集部１２に対応し、
入力手段は、入力装置に対応し、
所定位置は、乾杯用グラスの位置に対応するが、
この発明は、上述の実施形態の構成のみに限定されるものではなく、多くの実施の形態を得ることができる。
【産業上の利用可能性】
【０１５２】
この発明は、結婚披露宴などの宴会場にて利用することができ、それ以外にも、演出テーブル装置７に対して映像を再生させ、テーブル上の載置物が映像を邪魔しないようにする場合に利用することができる。
【符号の説明】
【０１５３】
１…表示映像コントロールシステム、２…管理装置、３…食器、７…演出テーブル装置、１２…映像登録編集部、１５…記憶部、３５…演出制御部、３７ａ…モニタ、３７ｂ…タッチパネル、４１…席数テンプレートファイル、４２…食器配置テンプレートファイル、７５…食器表示切替ボタン、７６ｄ…注目食器部、１３１…配置指示画像、１３６…演出画像
【図１】
2011003083.tif 000003
【図２】
2011003083.tif 000004
【図３】
2011003083.tif 000005
【図４】
2011003083.tif 000006
【図５】
2011003083.tif 000007
【図６】
2011003083.tif 000008
【図７】
2011003083.tif 000009
【図８】
2011003083.tif 000010
【図９】
2011003083.tif 000011
【図１０】
2011003083.tif 000012
【図１１】
2011003083.tif 000013
【図１２】
2011003083.tif 000014
【図１３】
2011003083.tif 000015
【図１４】
2011003083.tif 000016
【図１５】
2011003083.tif 000017
【図１６】
2011003083.tif 000018
【図１７】
2011003083.tif 000019